(57)【要約】【課題】識別手段を医療物品に貼付して医療物品の持ち出し、使用、返却等の管理を簡易化できるようにした医療物品管理システムを提供する。【解決手段】持出者設置ＲＦタグ２に情報の書込み及び読出しが可能な持出者用端末リーダ／ライタ３、警報手段５０、患者設置ＲＦタグ２２に情報の書込み及び読出しが可能なベット付近設置リーダ／ライタ２３、医薬品設置ＲＦタグ３２に情報の書込み及び読出しが可能な保管箱設置リーダ／ライタ３３、医薬品３１の使用量／残量を計測し、計測した使用量／残量を医薬品設置ＲＦタグ３２に情報の書込み及び読出しを可能とする医薬品使用量／残量計測部リーダ／ライタ３５、医薬品設置ＲＦタグ３２の移動を監視可能とする監視端末６０、システムの全体を管理する管理者端末７０、病院内に複数設置した病院内設置リーダ／ライタ８０等がＬＡＮ１００を介して監視サーバ４０に接続される。【選択図】    図１
2004213222.tif 000002
【特許請求の範囲】
【請求項１】
持出者個人に設置された第１の識別手段と、前記第１のＲＦタグに医薬品持出許可及び許可条件情報を書き込む第１の識別手段用リーダライタと、保管箱に保管された医薬品に付着させた第２の識別手段と、前記第１の識別手段用リーダライタを介して前記第１の識別手段に前記医薬品持出許可及び許可条件情報を書き込んだ場合に、前記医薬品持出許可及び許可条件情報が前記第２の識別手段に書き込まれるようにする第２の識別手段用リーダライタと、記録された前記医薬品持出許可及び許可条件情報を一元的に管理する監視サーバとを備え、前記監視サーバは、事前許可を受けていない持出者が前記医薬品を持ち出そうとした場合には警報を発することを特徴とする医療物品管理システム。
【請求項２】
持出者個人に設置された第１のＲＦタグと、前記第１のＲＦタグに医薬品持出許可及び許可条件情報を書き込む第１のＲＦタグ用リーダライタと、保管箱に保管された医薬品に付着させた第２のＲＦタグと、前記第１のＲＦタグ用リーダライタを介して前記第１のＲＦタグに前記医薬品持出許可及び許可条件情報を書き込んだ場合に、前記医薬品持出許可及び許可条件情報が前記第２のＲＦタグに書き込まれるようにする第２のＲＦタグ用リーダライタと、記録された前記医薬品持出許可及び許可条件情報を一元的に管理する監視サーバとを備え、前記監視サーバは、事前許可を受けていない持出者が前記医薬品を持ち出そうとした場合には警報を発することを特徴とする医療物品管理システム。
【請求項３】
病院敷地内の不特定地域に前記第２のＲＦタグと通信可能とする第３のＲＦリーダライタを設置したことを特徴とする請求項２に記載の医療物品管理システム。
【請求項４】
前記第３のＲＦリーダライタが病院施設内の所定箇所を前記第２のＲＦタグが通過したことを検出した場合は、警備員室に警報通知することを特徴とする請求項３に記載の医療物品管理システム。
【請求項５】
前記監視サーバは、前記持出者が持出許可を受けた前記医薬品を持ち出した場合であっても、前記許可条件に違反した場合に警報を発することを特徴とする請求項２に記載の医療物品管理システム。
【請求項６】
前記許可条件として前記医薬品の使用量を含み、前記医薬品の使用後に前記医薬品の使用量を計測して前記第２のＲＦタグに記録しておき、前記医薬品の使用量が許可使用量を超えた場合には管理者に警報を発することを特徴とする請求項５に記載の医療物品管理システム。
【請求項７】
患者個人に設置された第３のＲＦタグを備え、投薬に際して前記第３のＲＦタグに記録された処方箋情報と前記第２のＲＦタグに記録された医薬品情報とを前記監視サーバで照合し、照合不一致であれば前記監視サーバから投薬を中止させる警報を発することを特徴とする請求項２に記載の医療物品管理システム。
【請求項８】
医療器具に設置したＲＦタグと、前記ＲＦタグが付された前記医療器具が医療器具収容施設に収容されたことを読み取るＲＦタグ用リーダライタと、前記ＲＦタグが付された前記医療器具の持ち出しと返却を一元的に管理する監視サーバとを備え、前記監視サーバは、術前および術後の器具の種別と数量を確認し、前記種別と数量が不一致の場合には警報を発することを特徴とする医療物品管理システム。
【請求項９】
前記ＲＦタグ用リーダライタは、前記医療器具が所定の位置に置かれたとき前記種別と数量の計測を行うことを特徴とする請求項８に記載の医療物品管理システム。
【発明の詳細な説明】
【０００１】
【発明の属する技術分野】
本発明は、識別手段としてのＲＦタグを用いた医療物品管理システムに関する。
【０００２】
【従来の技術】
従来、病院内の特定区域への入退者管理とそれによる病院職員及び患者の位置管理を行うシステム、また、患者が受診時に行う手続を簡略化するシステムにＩＣカードを用いたものが知られている（例えば、特許文献１参照）。
【０００３】
【特許文献１】
特開平５−２６６０３８号公報
【０００４】
【発明が解決しようとする課題】
上記特許文献１に記載されたシステムでは病院職員及び患者ひとり一人にＩＣカードを所持させる必要があるので、例えば病院で管理しなければならない医薬品、治療器具等の医療物品の持ち出し、使用、返却を管理するために用いるには不向きであり、また、病室の患者に投与するつもりの医薬品が実際にその患者向けの医薬品であるかを簡単に検証することができないという問題があった。
【０００５】
また、病院職員および不特定多数の患者ひとり一人にＩＣカードを発行して所持させるようにしているので、ＩＣカードの発行コスト及びＩＣカードを使用したシステムの運用コストを負担しなければならないという問題があった。
【０００６】
本発明は、識別手段を医薬品、治療器具等の医療物品に貼付して前記医療物品の持ち出し、使用、返却等の管理を簡易化できるようにした医療物品管理システムを提供することを目的とする。
【０００７】
【課題を解決するための手段】
本発明は、持出者個人に設置された第１の識別手段と、前記第１のＲＦタグに医薬品持出許可及び許可条件情報を書き込む第１の識別手段用リーダライタと、保管箱に保管された医薬品に付着させた第２の識別手段と、前記第１の識別手段用リーダライタを介して前記第１の識別手段に前記医薬品持出許可及び許可条件情報を書き込んだ場合に、前記医薬品持出許可及び許可条件情報が前記第２の識別手段に書き込まれるようにする第２の識別手段用リーダライタと、記録された前記医薬品持出許可及び許可条件情報を一元的に管理する監視サーバとを備え、前記監視サーバは、事前許可を受けていない持出者が前記医薬品を持ち出そうとした場合には警報を発することを特徴とする。
【０００８】
このような構成により、識別手段が貼付された医療物品の持ち出し、使用、返却等の管理を簡単に実現することができる。
【０００９】
【発明の実施の形態】
以下、本発明の実施の形態について、図面を用いて説明する。
【００１０】
（第１の実施の形態）
図１は、本発明の第１の実施形態に係る医療物品管理システムの構成を示すブロック図である。図１において本発明の第１の実施形態に係る医療物品管理システムは、ヒューマン・マシーン・インターフェース（ＨＭＩ）を介して持出者（例えば、医師、看護師等）１と情報のやりとりが可能で且つ持出者設置ＲＦタグ２に情報の書込み及び読出しが可能な持出者用端末リーダ／ライタ３、警告音を発する警報手段５０、患者２１のリストバンド等に設置される患者設置ＲＦタグ２２に情報の書込み及び読出しが可能なベット付近設置リーダ／ライタ２３、医薬品３１を保管する保管箱３０内に設けれ、医薬品３１に設置される医薬品設置ＲＦタグ３２に情報の書込み及び読出しが可能な保管箱設置リーダ／ライタ３３、保管箱３０内に保管される医薬品３１の使用量又は残量を計測し、計測した使用量又は残量を医薬品設置ＲＦタグ３２に情報の書込み及び読出しを可能とする医薬品使用量／残量計測部リーダ／ライタ３５、医薬品設置ＲＦタグ３２の移動を監視可能とする監視端末６０、システムの全体を管理可能とする管理者端末７０、医薬品設置ＲＦタグ３２の移動を追跡しうるように病院内に複数設置した病院内設置リーダ／ライタ８０、ヒューマン・マシーン・インターフェース（ＨＭＩ）を介して医師９１と情報のやりとりが可能な医師用端末９２等がＬＡＮ１００を介して監視サーバ４０に接続され、医薬品設置ＲＦタグの移動を監視することで医薬品の持ち出し、使用、返却を簡単に管理できるようにしたものである。なお周知のようにＲＦタグ自身は電池を持ずアンテナ（図示せず）を介してリーダ・ライタ（Ｒ／Ｗ）から電界を与えることで電源を供給して読み書きを実行する。
【００１１】
図２は、本発明の第１の実施形態に係る医療物品管理システムの動作を説明するためのシーケンス図である。図２に示されるフローは、３段階から構成され、最初に医薬品持出許可フロー（１）が実施され、次に医薬品持出フロー（２）が実施され、最後に医薬品追跡フロー（３）が実施される。
【００１２】
まず医薬品持出許可フロー（１）について説明する。持出者１は、医薬品３１の持出申請を監視サーバ４０に行う。監視サーバ４０は、持出者用端末リーダ／ライタ３に医薬品の持出申請があったことを伝え、持出者用端末リーダ／ライタ３は、持出者設置ＲＦタグ２に医薬品の持出許可、例えば持出者名及び持出条件などを記録する。ここで持出条件として、例えば、持ち出しが許可された場所、許可使用量、許可期間などを条件として設定することができる。また、監視サーバ４０は、保管箱設置リーダ／ライタ３３に医薬品の持出申請があったことを伝え、保管箱設置リーダ／ライタ３３は、医薬品設置ＲＦタグ２に医薬品の持出許可情報、例えば持出者及び持出条件などを記録する。
【００１３】
次に、医薬品持出フロー（２）について説明する。医薬品の持出実行者（例えば、医師、看護師など）が医薬品３１を持ち出そうとした場合、まず持出実行者１のリストバンド等に貼付されている持出者設置ＲＦタグ２から上記医薬品持出許可フロー（１）で許可された持出許可情報、および、医薬品に貼付された医薬品設置ＲＦタグ３２から同じく医薬品持出許可フロー（１）で許可された持出許可情報が保管箱設置リーダ／ライタ３３により読み取られる。
【００１４】
読み取られた情報が保管箱設置リーダ／ライタ３３から監視サーバ４０に転送され、監視サーバ４０において持出判定を行う。判定の結果、持ち出して良いということになると、持出許可の内容、すなわち、持出者名、持出条件、医薬品名、日時が監視サーバ４０から監視員が常駐する監視端末６０に転送され、監視員による監視を行えるようにする。
【００１５】
次いで、医薬品追跡フロー（３）について説明する。複数の病院内設置リーダ／ライタ８０において医薬品設置ＲＦタグ３２に記録されて許可情報を読み取り、読み取った許可情報を監視サーバ４０に転送する。監視サーバ４０は、不正持出又は許可条件（例えば使用場所）違反の有無を判定して医薬品の追跡を行う。さらに、医薬品の追跡・監視を行うために監視サーバ４０から監視員が常駐する監視端末６０に持出許可の内容、すなわち、持出者、持出条件、医薬品名、日時を転送し、監視員による監視・追跡を行うようにする。
【００１６】
図３は、図２のシーケンスフローを説明するための概略図であり、持ち出し許可段階（１）において、医薬品の持出実行者（例えば、医師、看護師など）は医薬品の持ち出し許可を受ける。つまり持出実行者のリストバンド等に貼付された持出者ＲＦタグ２に許可持出者名と許可条件が書き込まれる。また、図示していないがこの段階でＬＡＮ１００及び保管箱設置リーダ／ライタ３３を介して医薬品設置ＲＦタグ３２にも許可持出者名と許可条件が書き込まれる。
【００１７】
次に、医薬品持ち出し段階（２）において、保管箱３０内の医薬品保管棚３４に収納されている医薬品３１を持ち出す場合に、医薬品３１に貼付された医薬品設置ＲＦタグ３２から許可持出者名と許可条件を読み取り、事前許可を受けた人の携行する持出者ＲＦタグ２と照合を行い、照合一致により事前許可を受けた人のみが持ち出し可能となり、事前許可を受けていない人が持ち出そうした場合には警報機５０からアラーム鳴動がなされるようにしている。それを無視して持ち出された場合には、監視員が常駐する監視端末６０に緊急情報が送られ、監視員等による捜索が開始される。さらに、医薬品の持ち出し経路の確認段階（３）においては、複数の病院内設置リーダ／ライタ８０を介して持ち出された医薬品３１の移動経路が逐一確認されるようになっている。
【００１８】
これにより、持ち出し条件違反を発見することができる。また、不正に持ち出された場合は、その医薬品の持ち込まれた場所を特定・追跡することができる。さらに、病院施設内のある一定箇所を医薬品が通過した場合は、警備員室に警報を通知することにより、施設外への持ち出しを防止することができる。
【００１９】
上記においては医薬品の持ち出しの管理ついて説明したが、次に図４を用いて持ち出された医薬品の使用及び返却の管理について説明する。
【００２０】
図４に示されるシーケンスフローは、２段階から構成され、最初に医薬品使用条件違反判定フロー（５）が実施され、次に医薬品投与判定フロー（６）が実施される。
【００２１】
まず医薬品使用条件違反判定フロー（５）について説明する。持出者１が医薬品３１を保管箱の医薬品保管棚３４に返却する行為を行うものとする。保管箱内の医薬品使用量／残量計測部リーダ／ライタ３５に接続する医薬品使用量／残量計測部で使用量／残量を計測し、計測した結果を医薬品使用量／残量計測部リーダ／ライタ３５により医薬品設置ＲＦタグ３２に書き込むと同時に医薬品の使用量／残量を監視サーバ４０に通知する。監視サーバ４０は、使用量に関する許可条件違反の有無を判定し、その結果を監視員が待機する監視端末６０に通知する。これにより持出者１の持出許可条件違反（例えば、使用量オーバー）に対し適切な処置を施すことができる。
【００２２】
次に、医薬品投与判定フロー（６）について説明する。担当医が患者に対する処方を決め、ベッド付近設置リーダ／ライタ２３から患者設置ＲＦタグ２２に処方箋及び薬剤投与情報を書き込む。次に薬剤投与時においてベッド付近設置リーダ／ライタ２３が患者設置ＲＦタグ２２から処方箋及び薬剤投与情報が読み取り、読み取った処方箋及び薬剤投与情報を監視サーバ４０に転送する。
【００２３】
一方、薬剤投与の準備のため持出者１は保管箱３０から医薬品３１を持ち出して病室に医薬品を持ち込んでいるので、ベッド付近設置リーダ／ライタ２３は持ち込まれた医薬品３１に貼付されている医薬品設置タグ３２から処方に関する医薬品情報を読み取るとともに、読み取った処方に関する医薬品情報を監視サーバ４０に転送する。監視サーバ４０は処方箋及び薬剤投与情報と処方に関する医薬品情報とから薬剤投与の良否を判定する。薬剤投与が良でない場合には、警報手段５０から医薬品持出者に対して警告音を発する。このようにすることにより簡単に医薬品の投薬ミスを防止することができる。
【００２４】
図５は、図４の医薬品投与判定フローを説明するための概略図であり、図５において看護師が持ち込んだ医薬品３１に貼付されたＲＦタグ３２に記録されている処方に関する医薬品情報と担当医により患者のリストバンドに貼付された患者設置ＲＦタグ（患者個人用ＲＦタグ）２２に記録された処方箋及び薬剤投与情報とが比較・照合され、薬剤投与の良否が判定される。看護師が持ち込んだ医薬品の薬剤投与が良でない場合には、病室内の警報機（例えば、スピーカー）５０から警告音が発せられる。
【００２５】
（第２の実施の形態）
図６は、本発明の第２の実施形態に係る医療物品管理システムの構成を示すブロック図である。図６において本発明の第２の実施形態に係る医療物品管理システムは、ヒューマン・マシーン・インターフェース（ＨＭＩ）を介して持出者（例えば、医師、看護師等）１と情報のやりとりが可能で且つ持出者設置ＲＦタグ２に情報の書込み及び読出しが可能な持出者用端末リーダ／ライタ３、警告音を発する警報手段５０、医療器具収容箱１０内に保管されるＲＦタグ付き医療器具１２の持出情報及び返却情報を医薬品設置ＲＦタグ３２に書込み及び読出しを可能とする医療器具収容箱設置リーダ／ライタ１１、ＲＦタグ付き医療器具１２の移動を監視可能とする監視端末６０、システムの全体を管理可能とする管理者端末７０、ＲＦタグ医療器具１２の移動を追跡しうるように病院内に複数設置した病院内設置リーダ／ライタ８０等がＬＡＮ１００を介して監視サーバ４０に接続され、ＲＦタグ付き医療器具の移動を監視することで医療器具の持ち出し、使用、返却を簡単に管理できるようにしたものである。
【００２６】
図７は、本発明の第２の実施形態に係る医療物品管理システムの動作を説明するためのシーケンス図である。図７においてまず医療器具収容箱１０内にＲＦタグ付き医療器具１２が保管／収納される場合に、まず医療器具収容箱設置リーダ／ライタ１１を介して監視サーバ４０に保管／収納情報を通知する。なお、保管／収納情報としては、上記医療器具の種別と数量を管理する情報とするものである。
【００２７】
医療器具利用者、例えば医者、看護師等１８がＲＦタグ付き医療器具１２を持ち出して使用した場合、使用したＲＦタグ付き医療器具１２を医療器具収容箱１０の所定位置に返却する。
【００２８】
医療器具収容箱１０の所定位置に返却された場合には、ＲＦタグ付き医療器具１２の保管／収納情報が医療器具収容箱設置リーダ／ライタ１１に読み取られるとともに保管／収納情報が監視サーバ４０に転送される。
【００２９】
監視サーバ４０においては、ＲＦタグ付き医療器具１２の使用前と使用後とを比較して、使用後にＲＦタグ付き医療器具１２が減っている場合には置き忘れなどの医療ミスが発生したものとして警報出力を管理者端末７０に通知される。これにより管理者が医療ミスに対して適切な対処を施すことができる。
【００３０】
図８は、図７の本発明の第２の実施形態に係る医療物品管理システムの動作シーケンスを説明するための概略図であり、図８において第１の医療器具乃至第ｎの医療器具にはＲＦタグ１２が付けられて医療器具収容箱１０内に保管／収納されている。手術前に医者、看護師等１８が医療器具収容箱１０内のＲＦタグ付き医療器具１２を持ち出すともにそれを使用して手術を行い、手術後には使用したＲＦタグ付き医療器具１２を医療器具収容箱１０に返却する。
【００３１】
ＲＦタグ付き医療器具１２が返却された場合には、ＲＦタグを医療器具収容箱設置リーダ／ライタ１１が読み取り、ＲＦタグ付き医療器具１２の使用前と使用後とを比較して、器具の確認（種別と数量の確認）を行い使用後にＲＦタグ付き医療器具１２が減っているかどうかを調べる。減っている場合には患者体内への置き忘れなどの医療ミスが発生したことになり、管理者が医療ミスに対して適切な対処を施すことができる。
【００３２】
【発明の効果】
上記実施の形態から明らかなように本発明は、持出者個人に設置された第１の識別手段と、前記第１のＲＦタグに医薬品持出許可及び許可条件情報を書き込む第１の識別手段用リーダライタと、保管箱に保管された医薬品に付着させた第２の識別手段と、前記第１の識別手段用リーダライタを介して前記第１の識別手段に前記医薬品持出許可及び許可条件情報を書き込んだ場合に、前記医薬品持出許可及び許可条件情報が前記第２の識別手段に書き込まれるようにする第２の識別手段用リーダライタと、記録された前記医薬品持出許可及び許可条件情報を一元的に管理する監視サーバとを備え、前記監視サーバは、事前許可を受けていない持出者が前記医薬品を持ち出そうとした場合には警報を発することにより、識別手段を医療物品に貼付して医療物品の持ち出し、使用、返却等の管理を簡易化することができるという効果を有する。
【図面の簡単な説明】
【図１】本発明の第１の実施形態に係る医療物品管理システムの構成を示すブロック図
【図２】本発明の第１の実施形態に係る医療物品管理システムの動作を説明するためのシーケンス図
【図３】図２のシーケンスフローを説明するための概略図
【図４】本発明の第１の実施形態に係る医療物品管理システムの動作のうち持ち出された医薬品の使用及び返却の管理について説明するシーケンス図
【図５】図４の医薬品投与判定フローを説明するための概略図
【図６】本発明の第２の実施形態に係る医療物品管理システムの構成を示すブロック図
【図７】本発明の第２の実施形態に係る医療物品管理システムの動作を説明するためのシーケンス図
【図８】図７の本発明の第２の実施形態に係る医療物品管理システムの動作シーケンスを説明するための概略図
【符号の説明】
１    持出者
２    持出者設置タグ
３    持出者用端末Ｒ／Ｗ
１０  医療器具収容箱
１１  医療器具収容箱設置Ｒ／Ｗ
１２  タグ付き医療器具
１８  医療器具利用者
２１  患者
２２  患者設置タグ
２３  ベッド付近設置Ｒ／Ｗ
３０  保管箱
３１  医薬品
３２  医薬品設置タグ
３３  保管箱設置タグ
３４  医薬品保管棚
３５  医薬品使用量／残量計測部Ｒ／Ｗ
４０  監視サーバ
５０  警報手段
６０  監視端末
７０  管理者端末
８０  病院内設置Ｒ／Ｗ
９１  医師
９２  医師用端末
１００  ＬＡＮ
【図１】
2004213222.tif 000003
【図２】
2004213222.tif 000004
【図３】
2004213222.tif 000005
【図４】
2004213222.tif 000006
【図５】
2004213222.tif 000007
【図６】
2004213222.tif 000008
【図７】
2004213222.tif 000009
【図８】
2004213222.tif 000010